(57)【特許請求の範囲】
【請求項１】
ユーザの操作及び設定を入力し所定の操作信号を生成する操作入力手段と、
コンテンツに関するコンテンツ情報データを受信するデータ受信手段と、
前記コンテンツ情報データ、前記操作信号に基づく操作データ及び前記ユーザのコンテンツ選択に関する個人情報データを記憶する記憶手段と、
前記コンテンツ情報データ及び前記操作データを含む所定のデータを提示する提示手段と、
入力した前記操作信号に基づいて前記ユーザの操作指令を判別し、前記操作指令が視聴しようとするコンテンツの検索条件設定であれば前記検索条件を抽出し、前記操作指令が視聴しようとするコンテンツの選択であれば選択されたコンテンツを特定し、前記検索条件及び前記選択されたコンテンツを前記個人情報データとして前記記憶手段に記憶し、前記操作指令が視聴するコンテンツの検索であるときは、前記ユーザの個人情報データに基づいて、前記コンテンツ情報データから前記ユーザに適したコンテンツを推定して選択し、選択した前記コンテツ情報データを前記提示手段に提示するとともに、前記操作指令が前記コンテンツを模擬選択するゲームの開始であるときは、前記個人情報データに基づき、前記ユーザを具現化するイメージ像及び視聴するためのコンテンツを具現化するイメージ像を該個人情報データから推定して選択して前記提示手段に提示し、前記操作入力手段を用いて前記ユーザが前記コンテンツを具現化するイメージ像を、前記ユーザを具現化するイメージ像に提供する指示を行ったときは前記指示に基づいて前記個人情報データを更新する制御手段と、
を有することを特徴とする情報操作装置。
【請求項２】
前記操作入力手段は、さらに、前記ユーザの音声による操作指令を入力し前記操作信号を生成する音声認識手段を有することを特徴とする請求項１記載の情報操作装置。
【請求項３】
前記情報操作装置は、さらに、前記コンテンツ情報データ及び前記操作データの提示に応じた内容を音声で出力する音声出力手段を有することを特徴とする請求項１記載の情報操作装置。
【請求項４】
前記制御手段は、前記操作信号がコンテンツ情報の検索であった場合に前記コンテンツ情報データの中から前記操作入力手段によって設定される条件に合致するコンテンツを検索し、検索結果を前記提示手段に提示することを特徴とする請求項１記載の情報操作装置。
【請求項５】
前記制御手段は、前記操作入力手段によって設定される条件を前記記憶手段に記憶することを特徴とする請求項４記載の情報操作装置。
【請求項６】
前記制御手段は、前記操作信号がコンテンツ受信制御指令であった場合に前記コンテンツ受信制御指令を前記記憶手段に記憶することを特徴とする請求項１記載の情報操作装置。
【請求項７】
操作入力手段が、ユーザの操作及び設定を入力して所定の操作信号を生成し、
データ受信手段が、コンテンツに関するコンテンツ情報データを受信し、
制御手段が、前記操作入力手段によって生成された前記操作信号に基づいて操作データを生成し、前記操作データと、前記データ受信手段を介して取得した前記コンテンツ情報データとを記憶手段に格納し、
前記制御手段が、入力した前記操作信号に基づいて前記ユーザの操作指令を判別し、前記操作指令が視聴しようとするコンテンツの検索条件設定であれば前記検索条件を抽出し、
前記制御手段が、前記操作指令が視聴しようとするコンテンツの選択であれば選択されたコンテンツを特定し、前記検索条件及び前記選択されたコンテンツを前記個人情報データとして前記記憶手段に記憶し、前記操作指令が視聴するコンテンツの検索であるときは、前記ユーザの個人情報データに基づいて、前記コンテンツ情報データから前記ユーザに適したコンテンツを推定して選択し、選択した前記コンテツ情報データを提示手段に提示し、
前記制御手段が、前記操作指令が前記コンテンツを模擬選択するゲームの開始であるときは、前記個人情報データに基づき、前記ユーザを具現化するイメージ像及び視聴するためのコンテンツを具現化するイメージ像を該個人情報データから推定して選択して前記提示手段に提示し、前記操作入力手段を用いて前記ユーザが前記コンテンツを具現化するイメージ像を、前記ユーザを具現化するイメージ像に提供する指示を行った時は前記指示に基づいて前記個人情報データを更新する、
処理手順を行うことを特徴とする情報操作方法。
【請求項８】
ユーザの操作に応じてコンテンツを取得する情報処理装置において、
コンテンツ及びコンテンツに関するコンテンツ情報データを取得する取得手段と、
前記コンテンツ及び前記コンテンツ情報データを提示するように制御する提示制御手段と、
操作指令を入力する操作入力手段から、前記操作指令に応じた操作データ及び前記ユーザのコンテンツ選択に関する個人情報データを受信するデータ受信手段と、
前記コンテンツ情報データ、前記操作データ及び前記個人情報データを必要に応じて記憶する記憶手段と、
前記操作データに応じて入力した前記操作信号に基づいて前記ユーザの操作指令を判別し、前記操作指令が視聴しようとするコンテンツの検索条件設定であれば前記検索条件を抽出し、前記操作指令が視聴しようとするコンテンツの選択であれば選択されたコンテンツを特定し、前記検索条件及び前記選択されたコンテンツを前記個人情報データとして前記記憶手段に記憶し、前記操作指令が視聴するコンテンツの検索であるときは、前記ユーザの個人情報データに基づいて、前記コンテンツ情報データから前記ユーザに適したコンテンツを推定して選択し、選択した前記コンテツ情報データを前記提示手段に提示するとともに、前記操作指令が前記コンテンツを模擬選択するゲームの開始であるときは、前記個人情報データに基づき、前記ユーザを具現化するイメージ像及び視聴するためのコンテンツを具現化するイメージ像を該個人情報データから推定して選択して前記提示手段に提示し、前記操作入力手段を用いて前記ユーザが前記コンテンツを具現化するイメージ像を、前記ユーザを具現化するイメージ像に提供する指示を行った時は前記指示に基づいて前記個人情報データを更新する制御手段と、
を有することを特徴とする情報処理装置。
【発明の詳細な説明】
【０００１】
【発明の属する技術分野】
本発明は情報操作装置及び情報処理装置並びに情報操作方法に関し、特にコンテンツ情報に基づいてユーザが行う操作に応じてコンテンツを再生する情報処理装置の設定を行う情報操作装置及び情報処理装置並びに情報操作方法に関する。
【０００２】
【従来の技術】
近年、ＣＡＴＶ（ｃａｂｌｅ  ｔｅｌｅｖｉｓｉｏｎ）やデジタル放送等によって、テレビ放送の多チャンネル化が進行している。日本においても、現在ＣＳ（ｃｏｍｍｕｎｉｃａｔｉｏｎ  ｓａｔｅｌｌｉｔｅ）放送で１００チャンネル以上に達している。今後、ＢＳ（ｂｒｏａｄｃａｓｔｉｎｇ  ｓａｔｅｌｌｉｔｅ）デジタル、地上波デジタル放送も予定されており、さらにチャンネル数が増加するデジタル多チャンネル放送の時代に入りつつある。このように多チャンネルになってくると、従来の新聞あるいは雑誌等に記載された番組表から所望のコンテンツの検索を行う場合、検索に多大な時間がかかるようになったり、好みのコンテンツを見落としてしまう等の不都合が生じる。
【０００３】
このため、例えば、ＥＰＧ（Ｅｌｅｃｔｒｉｃ  Ｐｒｏｇｒａｍ  Ｇｕｉｄｅ電子番組ガイド）を取得、保存し、これをテレビ画面上で提供するテレビジョン受信装置及びチューナー（以下、テレビ受信機とする）がある。このようなテレビジョン受信装置では、ＥＰＧを用いることによりコンテンツの検索を行うことができる。また、さらに、ユーザがコンテンツの好み等の個人情報を設定しておけば、その個人情報に応じてユーザの好みに合ったコンテンツ情報を提供してくれるものもある。
【０００４】
【発明が解決しようとする課題】
しかし、従来のＥＰＧ等によるコンテンツ情報の提供はテレビジョン受信装置で行われているため、ユーザに好適なコンテンツ情報を提供することができないという問題がある。
【０００５】
従来、ＥＰＧ等のコンテンツ情報は、テレビ受信機で取得し、テレビ画面上にこれを表示していた。このため、コンテンツ情報を見るためには、テレビ受信機等の電源を入れなければならない。また、現在視聴しているコンテンツを妨害しなければコンテンツ情報の表示はできない等、コンテンツ情報を入手することが面倒であった。特に、複数人がテレビ受信機を利用する家庭等においては、他の人の視聴を妨げなければならない等、不便であった。
【０００６】
また、個人情報を登録することにより、個人の好みのコンテンツを検索する機能を備えていても、同様に、現在視聴しているコンテンツを妨害しなければ設定できない等、登録が面倒であった。さらに、個人情報は、所定のフォーマットに従って、自分の好みのコンテンツや好みの俳優等を入力していかなければならず、ユーザはあまり使用したがらなかった。このため、嗜好の変化に応じた個人情報の変更等は行われることなく、登録された個人情報は、ユーザの嗜好を反映していないものになってしまった。このように、不正確な個人情報により検索されたお勧めコンテンツ情報は、ユーザに好適なコンテンツ情報とならない。
【０００７】
さらに、上記説明の個人情報は、テレビ受信機に蓄積されているため、他のテレビ受信機において個人情報を活用することができなかった。近年、複数台のテレビ受信機を持つ家庭が多いが、このような場合、各テレビ受信機毎に設定を行わなければならない等、不便である。また、ユーザが自分の家以外の場所、例えばホテル等、でテレビ番組を見る場合、そのテレビ受信機にはそのユーザの個人情報が登録されていないため、ユーザに好適なコンテンツ情報を提供することができなかった。
【０００８】
本発明はこのような点に鑑みてなされたものであり、ユーザが好適なコンテンツ情報操作を行うことができる情報操作装置及び情報処理装置並びに情報操作方法を提供することを目的とする。
【０００９】
【課題を解決するための手段】
本発明では上記課題を解決するために、操作入力手段、データ受信手段、記憶手段、提示手段及び制御手段、を有する情報操作装置が提供される。操作入力手段は、ユーザの操作及び設定を入力し所定の操作信号を生成する。データ受信手段は、コンテンツに関するコンテンツ情報データを受信する。記憶手段は、コンテンツ情報データ、操作信号に基づく操作データ及びユーザのコンテンツ選択に関する個人情報データを記憶する。提示手段は、コンテンツ情報データ及び操作データを含む所定のデータを提示する。制御手段は、入力した操作信号に基づいてユーザの操作指令を判別し、操作指令が視聴しようとするコンテンツの検索条件設定であれば検索条件を抽出し、操作指令が視聴しようとするコンテンツの選択であれば選択されたコンテンツを特定し、検索条件及び選択されたコンテンツを個人情報データとして記憶手段に記憶し、操作指令が視聴するコンテンツの検索であるときは、ユーザの個人情報データに基づいて、コンテンツ情報データからユーザに適したコンテンツを推定して選択し、選択したコンテツ情報データを提示手段に提示するとともに、操作指令がコンテンツを模擬選択するゲームの開始であるときは、個人情報データに基づき、ユーザを具現化するイメージ像及び視聴するためのコンテンツを具現化するイメージ像を該個人情報データから推定して選択して提示手段に提示し、操作入力手段を用いてユーザがコンテンツを具現化するイメージ像を、ユーザを具現化するイメージ像に提供する指示を行った時は指示に基づいて個人情報データを更新する。
【００１３】
【発明の実施の形態】
以下、本発明の実施の形態を図面を参照して説明する。図１は、本発明の一実施の形態であるコンテンツ情報操作装置の構成図である。
【００１４】
本発明に係る番組情報操作装置１００は、テレビ受信機２００と情報データ交換を行うデータ送受信手段１１０と、ユーザの操作や設定を入力する操作入力手段１２０と、収集したコンテンツ情報データ及び操作入力に応じて所定の処理を行う制御手段である番組情報・操作制御手段１３０と、番組情報・操作制御手段１３０に従って各種情報データを記憶する記憶手段１４０と、番組情報・操作制御手段１３０に従って各種情報データを表示する表示手段１５０と、から構成される。
【００１５】
データ送受信手段１１０は、テレビ受信機２００とデータの交換を行う通信手段である。テレビ受信機２００の収集したコンテンツ情報データであるＥＰＧを受信するとともに、操作入力手段１２０により生成された操作信号に応じた操作データを、番組情報・操作制御手段１３０の制御によりテレビ受信機２００に送信する。その他、番組情報・操作制御手段１３０及びテレビ受信機２００が必要とする情報データの交換を行う。
【００１６】
操作入力手段１２０は、ユーザが行った操作及び設定から所定の操作信号を生成し、番組情報・操作制御手段１３０へ出力する。操作信号は、例えば、所定のボタンが操作されたトリガ信号等である。また、音声により操作指令を入力し、音声認識手段によりその操作内容を判別し、操作信号として出力してもよい。
【００１７】
番組情報・操作制御手段１３０は、データ送受信手段１１０からＥＰＧを入力するとともに、操作入力手段１２０より操作信号を入力する。ユーザの要求する操作指令を操作信号から判別し、これに応じた所定の処理を行う。例えば、コンテンツ情報データの表示の場合、ＥＰＧデータの表示を表示手段１５０へ指示する。また、ユーザの好みのコンテンツを検索する指令であれば、検索を行い、検索結果を表示手段１５０へ出力する。あるいは、テレビ受信機２００に対する操作指令の場合、操作指令をデータ送受信手段１１０経由でテレビ受信機２００に送信する。
【００１８】
記憶手段１４０は、番組情報・操作制御手段１３０に従って、ＥＰＧデータ及び操作データを記憶する。また、番組情報・操作制御手段１３０の行う処理手順プログラムや各種設定データを記憶した記憶領域も有する。
【００１９】
表示手段１５０は、番組情報・操作制御手段１３０に従って、コンテンツ情報データ、操作データ、及び所定の処理が施された加工データ等を表示し、ユーザが所望する情報を提供する。また、ユーザに情報を提供する手段を表示手段１５０以外に設けることもできる。例えば、音声出力手段を設け、音声によりユーザの所望する情報を提供する。
【００２０】
このような構成の番組情報操作装置１００の動作について説明する。ユーザは、番組情報操作装置１００に対し、操作入力手段１２０を介して操作指令を入力する。操作入力手段１２０は、入力した操作指令に応じた操作信号を生成し、番組情報・操作制御手段１３０へ出力する。番組情報・操作制御手段１３０は、操作信号に応じて、所定の処理を行う。操作指令がコンテンツ情報データの確認であれば、データ送受信手段１１０を介してテレビ受信機２００からＥＰＧデータを受信し、これを表示手段１５０に出力し、コンテンツ情報データの表示を行う。もちろん、ＥＰＧデータの受信は、操作指令時の他、番組情報操作装置１００の電源投入時等、いつ行われてもかまわない。また、必要であればＥＰＧデータを記憶手段１４０に記憶する。新たに取得するのではなく、この記憶されたＥＰＧデータを基にコンテンツ情報データの表示が行われてもよい。例えば操作指令が、コンテンツの検索であれば、キーワード等からＥＰＧデータの検索を行い、該当するコンテンツ情報を抽出し、これを表示手段１５０に出力して表示する。このときの、検索キーワード等、個人の好みに関する情報は、必要に応じて個人情報として記憶手段１４０に記憶する。操作指令がテレビ受信機２００に対するものであれば、操作データを生成し、データ送受信手段１１０経由で、テレビ受信機２００に送信する。操作データも必要に応じて、記憶手段１４０に記憶する。
【００２１】
このような番組情報操作装置１００は、例えば、テレビ受信機２００のリモートコントロール装置のように小型化が可能であり、小型化によりユーザが携帯することができるようになる。このため、記憶手段１４０にコンテンツに関するデータや操作データを一旦記憶させてしまえば、他のテレビ受信機２００に対して同一の操作を行うことができる。例えば、コンテンツを検索し抽出されたコンテンツ情報を記憶しておけば、テレビ受信機２００等に対して簡単な操作で、好みのコンテンツの受信コントロールやビデオデッキへの録画予約を行うことができる。
【００２２】
また、上記の説明では、データ送受信手段１１０により、テレビ受信機２００からＥＰＧデータの取得を行うとしたが、データ放送受信や、インターネット経由等で直接ＥＰＧデータを取得することもできる。
【００２３】
本発明に係る情報操作装置の適用例として、テレビ受信機用リモートコントロール装置（以下、リモコンとする）について説明する。図２は、本発明の一実施の形態であるリモコンのブロック図である。
【００２４】
本発明に係るリモコンは、データ送受信手段１１０を構成する赤外線信号処理部１１１と赤外線受発光部１１２、操作入力手段１２０を構成するボタン入力採集１２１とタッチパネル１２２とマイク１２３と音声エンコーダ１２４、番組情報・操作制御手段１３０であるＣＰＵ１３１、記憶手段１４０を構成するＤＲＡＭ１４１とＳＲＡＭ１４２とＲＯＭ１４３、表示手段１５０を構成するＶＲＡＭ１５１と映像デコーダ１５２とＬＣＤパネル１５３、及び音声出力手段を構成する音声デコーダ１６１とスピーカ１６２、とから構成される。
【００２５】
赤外線信号処理部１１１は、赤外線受発光部１１２により採集された赤外線信号をデジタルデータに変換し、ＣＰＵ１３１に出力する。また、ＣＰＵ１３１から送られた出力データを変換し、赤外線受発光部１１２より赤外線を送出する。赤外線受発光部１１２は、例えばテレビ受信機等の外部機器の出力する赤外線を受光するとともに、外部機器に対して赤外線を発光する。
【００２６】
ボタン入力採集１２１は、視聴者がボタンを操作することにより、操作信号を生成し、ＣＰＵ１３１に伝える。タッチパネル１２２は、視聴者がタッチパネル１２２を操作することにより、操作信号を生成し、ＣＰＵ１３１に伝える。マイク１２３は、視聴者の音声による操作指令を入力し、音声エンコーダ１２４に出力する。音声エンコーダ１２４は、音声をデジタルデータに変換し、ＣＰＵ１３１に伝える。
【００２７】
ＣＰＵ１３１は、操作信号に応じて所定の処理を行うとともに、リモコン全体を制御する。ＣＰＵ１３１の処理は、ＲＯＭ１４３に蓄積されている処理プログラムに従って実行される。
【００２８】
ＤＲＡＭ１４１は、ＣＰＵ１３１の処理する一時的なデータを保存する領域であり、ＳＲＡＭ１４２は、保存が必要なデータを記憶する領域である。ＳＲＡＭ１４２は、例えば、フラシュメモリやＥＥＰＲＯＭ等により構成される。ＲＯＭ１４３は、ＣＰＵ１３１の実行する処理プログラムの他、固有の各種設定データが記憶されている。
【００２９】
ＶＲＡＭ１５１は、ＣＰＵ１３１が表示データを生成し出力する記憶領域である。映像デコーダ１５２は、ＶＲＡＭ１５１上にあるデータを変換し、ＬＣＤパネル１５３へ出力する。ＬＣＤパネル１５３は、映像デコーダ１５２から入力した画像信号に基づいた画像を表示する。
【００３０】
音声デコーダ１６１は、ＣＰＵ１３１の音声出力データを変換し、スピーカ１６２に出力する。スピーカ１６２は、音声デコーダ１６１から入力した音声信号を増幅し、音声として出力する。
【００３１】
このような構成のリモコンの動作について説明する。ボタン入力採集１２１、タッチパネル１２２、マイク１２３のいずれかに視聴者が操作指令を行い、操作信号としてＣＰＵ１３１に入力する。音声による指令がされた場合は、マイク１２３が採集した音声は、音声エンコーダ１２４によりデジタルデータに変換され、ＣＰＵ１３１に送られる。ＣＰＵ１３１は、ＲＯＭ１４３に蓄積されている音声認識プログラムにより音声データを分析し、該当する操作指令の音声データのうち一致するものを検索する。該当するものが操作指令と判断される。また、ボタン入力採集１２１やタッチパネル１２２の場合、操作がされたという操作信号として入力する。ＣＰＵ１３１は、ＲＯＭ１４３に蓄積されている処理プログラムに従って、操作指令を判断する。上記説明のように、ＣＰＵ１３１は操作信号を解釈し、ＲＯＭ１４３に蓄積された処理プログラムに従って所定の処理を実行する。例えば、ＥＰＧデータが必要な場合は、テレビ受信機より、赤外線受発光部１１２、赤外線信号処理部１１１を経由して、ＥＰＧデータを受信する。取得したＥＰＧデータは、ＤＲＡＭ１４１、あるいは必要に応じてＳＲＡＭ１４２に保存される。ＥＰＧデータより好みの番組の検索を行う場合には、キーワードを入力し、検索を行う。検索結果、あるいはキーワードは必要に応じてＳＲＡＭ１４２に保存される。ＥＰＧデータあるいは、検索情報の表示を行う場合、ＣＰＵ１３１は、表示データをＶＲＡＭ１５１に出力する。表示データは、映像デコーダ１５２を介してＬＣＤパネル１５３に画像として表示される。音声出力を行う場合、音声出力データは、音声デコーダ１６１を介してスピーカ１６２に出力される。
【００３２】
このようなリモコンで番組情報を表示する場合について説明する。図３は、本発明の一実施の形態であるリモートコントロール装置（リモコン）の外観図である。ここでは、視聴者の操作指令は、メニューボタン１２１ａ、ＥＰＧボタン１２１ｂ、方向ボタン１２１ｃ、決定ボタン１２１ｄ、及び電源ボタン１２１ｅのボタン操作と、マイク１２３への音声出力により行われる。ＬＣＤパネル１５３にタッチパネル機能を持たせて、ＬＣＤ画面上にソフトボタンを適用することも考えられる。まず、所定のタイミング、例えば、電源ボタン１２１ｅオン等、で赤外線受発光部１１２を介して、テレビ受信機からＥＰＧデータを取得する。そして、例えば、視聴者がＥＰＧボタン１２１ｂを押すと、ＬＣＤパネル１５３上に番組情報が表示される。視聴者は方向ボタン１２１ｃでチャンネルや番組をブラウズし、決定ボタン１２１ｄでその番組の詳細紹介、予約画面を表示させる。予約には、視聴予約と録画予約があり、視聴予約された番組はその番組の放送時間になったら自動的に電源をオンしそのチャンネルに変更する。また、録画予約はリモコンから直接ＶＴＲに指示を出すが、テレビ受信機経由のいずれかでＶＴＲに対して録画予約を設定する。選択された番組は、個人情報として記憶しておく。ここで、ＬＣＤパネル１５３に表示されるチャンネルの並び順は、視聴者が指定することができる。また、個人情報として記憶された選択された番組に関する情報から自動的に優先順位をつけることもできる。例えば、個人情報に基づき、視聴回数の多い順でチャンネルを並べる。さらに、メニューボタン１２１ａを操作することにより、番組検索、ゲーム、各種設定等のメニューが表示される。番組検索では、視聴者が指定したキーワードでＥＰＧデータから該当する番組を探し出す。キーワード入力手段には、バーチャルキーボード、手書き認識、音声認識等がある。ゲームについては、後述する。
【００３３】
テレビ受信機２００は、テレビ放送の信号を受信し、その信号処理を行うテレビジョン受信装置である。ここでいう、テレビ受信機は、各種テレビジョン受信用チューナーボックスか、またはこのチューナーボックスをテレビと一体にしたものでもかまわない。図４は、本発明の一実施の形態であるテレビ受信機のブロック図である。本発明に係るテレビ受信機２００は、番組情報受信手段であるＥＰＧ取得回路部２１１、テレビ放送受信手段であるＴＶ受信コントロール２２１、テレビ画面表示手段を構成するＶＲＡＭ２３１と映像デコーダ２３２、データ送受信手段を構成する赤外線信号処理部２４１と赤外線受発光部２４２、記憶手段を構成するＲＡＭ２５１とＲＯＭ２５２とストレージ装置２５３、及びテレビ放送受信制御手段であるＣＰＵ２６１とから構成される。
【００３４】
ＥＰＧ取得回路部２１１は、ＥＰＧ情報を取得し、ＣＰＵ２６１へ送る。ＥＰＧ情報の発信源は、テレビ放送の形態によって、テレビ局によるデータ放送、テレビ信号にＶＢＩ（Ｖｅｒｔｉｃａｌ  Ｂｌａｎｋｉｎｇ  Ｉｎｔｅｒｖａｌ）方式で挿入、及びインターネットによる送信等がある。ＥＰＧ取得回路部２１１では、いずれかの発信源からＥＰＧ情報を取得する。
【００３５】
ＴＶ受信コントロール２２１は、ＣＰＵ２６１の指示にテレビ放送の受信制御を行う。
ＶＲＡＭ２３１は、表示データを一時記憶する領域で、映像デコーダ２３２はこのイメージデータを変換し、ディスプレイに送出する。
【００３６】
赤外線信号処理部２４１と赤外線受発光部２４２とにより、番組情報操作装置１００とデータ交換を行う。ＣＰＵ２６１から送出されるＥＰＧ情報等のデータは、赤外線信号処理部２４１で赤外線信号に変換され、赤外線受発光部２４２から送出される。また、送られてきた赤外線は、赤外線受発光部２４２で受光し、赤外線信号処理部２４１でデータに変換され、ＣＰＵ２６１に送出される。
【００３７】
ＲＡＭ２５１は、ＣＰＵ２６１の処理する一時的なデータを保存する領域であり、ストレージ装置２５３は、保存が必要なデータを記憶する領域である。ＲＯＭ２５２は、ＣＰＵ２６１の実行する処理プログラムの他、固有データが記憶されている。
【００３８】
ＣＰＵ２６１は、テレビ放送の受信制御、ＥＰＧデータの取得と管理、番組情報操作装置１００とのデータ交換、及び各種メモリの記憶データ管理等、全体の制御を行う。
【００３９】
このような構成のテレビ受信機２００の動作について説明する。テレビ受信機２００は、ＥＰＧ取得回路部２１１によりＥＰＧ情報を取得すると、ＣＰＵ２６１の制御により赤外線信号処理部２４１、赤外線受発光部２４２を経由して番組情報操作装置１００に送出する。また、番組情報操作装置１００からの操作指令は、赤外線受発光部２４２、赤外線信号処理部２４１経由でＣＰＵ２６１で処理され、ストレージ装置２５３に蓄積されるか、ＴＶ受信コントロール２２１に送出される。視聴者が、テレビ画面を用いて番組情報の確認や、予約を行う場合もある。このとき、番組情報操作装置１００で所定の操作を行うことにより、番組情報操作装置１００に記憶されている視聴者の個人情報データが赤外線通信によりテレビ受信機２００に転送される。テレビ受信機２００は、赤外線受発光部２４２、赤外線信号処理部２４１経由で個人情報データを受信し、取得したＥＰＧ情報をＣＰＵ２６１で処理してＶＲＡＭ２３１に表示イメージを生成する。映像デコーダ２３２は、このイメージデータをディスプレイに送出し、テレビ画面での表示を行う。
【００４０】
上記の説明では番組情報操作装置１００とテレビ受信機２００間のデータ交換は、データ通信を用いるとしたが、ＩＣカードやメモリスティック等のメディアを用いてデータ交換を行うこともできる。この場合、番組情報操作装置１００のデータ送受信手段１１０は、メディアへの情報データ記録及び読み出しを行うメディアアクセス手段となる。また、一部のデータ、例えばＥＰＧデータのみをメディアを介するデータ交換としてもよい。また、テレビ受信機２００に番組情報操作装置１００とテレビ受信機２００の信号線を直接接続するスロットを設け、直接データの交換を行うようにすることもできる。
【００４１】
上記の説明のように、視聴者が番組情報操作装置１００により行った操作から、視聴者の番組選択に関する個人情報データを作成することができる。例えば、番組の検索時に用いたキーワード、例えば、番組のジャンルや好きな俳優等を保存したり、予約やチャンネル変更等の操作時に選択された番組を保存することにより、個人情報データを生成する。このような個人情報データを分析することにより、視聴者の好きな番組の傾向を知ることができる。例えば、よく見る番組や番組のジャンル等は、データの統計から推定することが可能である。生成された個人情報データを利用し、メニューにお勧め番組を設けておき、このメニューが選択された場合に、個人情報から推定される視聴者の好みに合致した番組を、お勧め番組として視聴者に提供することもできる。このように、視聴者の通常の操作から個人情報を生成するため、視聴者は個人情報を登録する煩わしさから解放される。また、視聴者の操作に応じて個人情報データを更新していくことが可能なため、個人情報データは現在の視聴者の好みと合致した情報となる。この結果、視聴者に対して好適な番組情報を提供することが可能となる。
【００４２】
さらに、番組情報操作装置１００にゲームを搭載し、視聴者の個人情報データを自動生成することもできる。ゲームは、記憶手段１４０のＲＯＭ１４３に処理プログラムを登録しておく。操作入力手段１２０の指令により、ゲームを開始し、ゲームを実行することにより生成された個人情報は、記憶手段１４０のＳＲＡＭ１４２に記憶される。
【００４３】
ゲームの一例について説明する。図５は、本発明の一実施の形態である番組情報操作装置のゲーム表示の一例である。これは、テレビキャラクタの育成ゲームである。ゲームは、番組情報操作装置１００への電源投入時、メニュー選択時等、適当なタイミングで開始される。ここでは、視聴者の個人情報データ、すなわち視聴者の番組の好みを具現化するイメージ像として、テレビ好きの猫のキャラクタ３０１がＬＣＤパネル１５３に表示される。視聴者がこの番組情報操作装置を用いてテレビ番組を視聴すると、このキャラクタ３０１も一緒に視聴することになる。また、視聴者が視聴した番組をタイトルや、番組アイコン３０２ａ、３０２ｂ、３０２ｃとしてＬＣＤパネル１５３に表示し、これらのうち視聴者の好きな番組を選択し、キャラクタ３０１に与えるというゲームを行う。このように、テレビ番組を長時間見ない場合であっても、ゲームを行うことにより、キャラクタ３０１に好みのテレビ番組を視聴させることができるようにする。このような視聴者の視聴履歴とゲームのプレーでキャラクタ３０１に与えた番組情報の統計を分析することにより、視聴者の嗜好を得ることができる。統計、分析は、番組のジャンル、タイトル、出演俳優、ストーリ等の情報を利用する。上記説明のように、視聴者がこの番組情報操作装置を用いてテレビ番組を視聴したり、ゲームをプレーすると、ゲーム中のキャラクタ３０１が視聴者の好きな番組の種類、よく見る時間帯、好きな俳優、好きなスポーツチームや選手、等をだんだんわかるようになる。言い換えると、ＳＲＡＭ１４２に保存されている個人情報データは、だんだん正確になる。
【００４４】
また、このキャラクタ３０１が視聴者の個人情報データを利用して、自動的にＥＰＧデータの中から視聴者の嗜好に合った番組の検索を行い、視聴者にお勧め番組として提案することもできる。例えば、キャラクタ３０１がテキスト表示または音声出力により、「今夜９時、４チャンネルで○○○があるよ、僕が見たい。」と自分の要求を言い、視聴者の嗜好に合ったお勧め番組を提供する。
【００４５】
また、記憶手段１４０のＲＯＭ１４３にテレビ受信機の各メーカ、モデルの命令セットを記憶させておくことにより、異なるメーカ、機種のテレビ受信機をコントロールすることが可能となる。また、どのテレビ受信機からもＥＰＧ情報を取得することも可能にする。このように、どのテレビ受信機のコントロールも可能となると、番組情報操作装置を携帯することにより、例えば、旅行先に泊まっているホテルでのテレビ視聴時でも、自分の好みの番組を容易に選択することが可能となる。
【００４６】
上記説明では、番組情報操作装置をテレビ受信機のリモコンに搭載するとしたが、ＰＤＡ（Ｐｅｒｓｏｎａｌ  Ｄｉｇｉｔａｌ  Ａｓｓｉｓｔａｎｔ）装置、あるいは携帯ゲーム機装置に搭載することもできる。
【００４７】
なお、上記の処理機能は、コンピュータによって実現することができる。その場合、番組情報操作装置及びテレビジョン受信装置が有すべき機能の処理内容は、コンピュータで読み取り可能な記録媒体に記録されたプログラムに記述しておく。そして、このプログラムをコンピュータで実行することにより、上記処理がコンピュータで実現される。コンピュータで読み取り可能な記録媒体としては、磁気記録装置や半導体メモリ等がある。市場を流通させる場合には、ＣＤ−ＲＯＭ(Compact Disc Read Only Memory)やフロッピーディスク等の可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置等にプログラムを格納しておき、メインメモリにロードして実行する。
【００４８】
【発明の効果】
以上説明したように本発明では、コンテンツ情報データを受信するとともに、ユーザの操作及び設定を入力する。そして操作内容に応じて、コンテンツ情報データに所定の処理を行って、提示手段を介してユーザに提示する。また、コンテンツ情報データ及び操作に関する操作データを記憶しておき、必要に応じて利用できるようにしておく。
【００４９】
このように、本発明の情報操作装置は、コンテンツを再生する情報処理装置とは別個に、コンテンツ情報データを収集し、これに所定の操作、例えば検索を行い、所望のコンテンツ情報を提示することができる。このため、情報処理装置の電源を入れなくても、さらに、情報処理装置稼動時は現在再生中のコンテンツに影響を与えることなく、コンテンツ情報収集ができる。また、コンテンツ情報の提示には、テレビ画面等の大画面は必要とされないため、小型軽量化し、携帯可能にすることは容易である。携帯可能となった情報操作装置は、異なる場所に設置されているコンテンツ再生装置に対して、同一の操作や設定を繰り返す手間を省くことができる。この結果、好適なコンテンツ情報操作が可能となる。さらに、視聴者の操作に応じて個人情報データを更新していくため、個人情報データは現在の視聴者の好みと合致した情報となる。この結果、視聴者に対して好適な番組情報を提供することが可能となる。
【００５０】
また、本発明の情報処理装置は、ユーザが行った操作及び設定に関する操作データを情報操作装置から受信し、これに基づき、コンテンツ情報データの受信、及びコンテンツ受信を制御する。また、必要に応じてコンテンツ情報データ及び操作データを記憶するとともに、情報操作装置にコンテンツ情報データを送信する。
【００５１】
このように上記説明の情報操作装置と相互にデータ交換を行い動作するため、情報操作装置に蓄積された情報に基づいて、好適なコンテンツ情報操作を可能にすることができる。
【図面の簡単な説明】
【図１】  本発明の一実施の形態である情報操作装置の構成図である。
【図２】  本発明の一実施の形態であるリモートコントロール装置（リモコン）のブロック図である。
【図３】  本発明の一実施の形態であるリモートコントロール装置（リモコン）の外観図である。
【図４】  本発明の一実施の形態であるテレビ受信機のブロック図である。
【図５】  本発明の一実施の形態である番組情報操作装置のゲーム表示の一例である。
【符号の説明】
１００…番組情報操作装置、１１０…データ送受信手段、１２０…操作入力手段、１３０…番組情報・操作制御手段、１４０…記憶手段、１５０…表示手段、２００…テレビ受信機
【図１】
0004474702.tif 000002
【図２】
0004474702.tif 000003
【図３】
0004474702.tif 000004
【図４】
0004474702.tif 000005
【図５】
0004474702.tif 000006